(57)【要約】【課題】  本考案は、両用スーツケースに係り、小量の付属品を追加するだけで、短時間のうちにクローゼットに組み替えることができるようにすることを目的とする。【解決手段】  基本構造は、車輪付き布質スーツケースであり、蓋２０と箱体１０を完全に分離することが可能である。スーツケースを分離した後、箱体１０は底部、蓋２０は上部となり、更に、付属品３０を追加することで、短時間のうちにクローゼットに組み替えることが可能である。クローゼットを分解した後は、又、一般的なスーツケースとして使用することが可能である。スーツケースは、美観及び多機能を具備し、使用が便利な実用性を有する。【選択図】  図１
0003104094.tif 000002
【実用新案登録請求の範囲】
【請求項１】
一つのスーツケース本体(1)と、一組の付属品(30)と、一つのカバー(40)とからなり、
上記スーツケース本体(1)は、一つの箱体(10)と一つの蓋(20)とからなり、上記箱体(10)と上記蓋(20)とが、それぞれの上部と下部が分離式メスチャック(11)と分離式オスチャック(21)とにより結合或は分離可能である構成であり、
上記箱体(10)は、内側の四ケ所の隅の壁面上にそれぞれ差し込み座(12)を有し、上記箱体(10)内部に１つの軟性材質の底敷(13)が設置され、上記底敷(13)は一辺が上記箱体(10)の内側の一辺に固定設置され、他の三辺が１つの底敷チャック(14)により上記箱体(10)の内側の他の三辺に連結された構成であり、
上記蓋(20)は、開くことができるラック層(22)を有し、上記ラック層(22)は周辺にラック層チャック(23)を有することにより、開閉でき、且つ、上記蓋(20)は底面の四ケ所の隅にそれぞれ嵌合部(24)を有する構成であり、
上記付属品(30)は、連結支柱(31)とコネクター(32)とＬ字プレート(33)と層板(34)と吊り棒(35)とから構成され、四つの上記連結支柱(31)を上記箱体(10)の内側の四隅にある上記差し込み座(12)にそれぞれ差し込み、四ケ所に設置された各上記連結支柱(31)の上端に上記コネクター(32)と上記連結支柱(31)を一定の高さになるまで付け足して連結することにより、四組の主要な支柱の構造を形成することが可能であり、上記Ｌ字プレート(33)は断面がＬ字形状のプレートで、水平に設置される面の両側に貫通孔(331)を有し、垂直に設置される面の中段部分に一つの可動プレート(332)が枢軸設置され、上記可動プレート(332)は一つのロッド貫通孔(333)を有し、上記四組の主要な支柱の一番上の上記連結支柱(31)上端に更に１つずつ上記コネクター(32)を設置し、二つの上記L字プレート(33)がそれぞれ対称的に上記可動プレート(332)が向かい合うようそれぞれの貫通孔(331)を上記コネクター(32)に嵌合設置し、上記コネクター(32)に相対する位置に座孔(341)を有する層板(34)を四つの上記コネクター(32)上に設置し、更に、四つの短支柱(311)をそれぞれ四つの上記コネクター(32)上に設置し、四つの各上記短支柱(311)の上端に上記蓋(20)底面の４つの隅に設置された上記嵌合部(24)をそれぞれ嵌合させることにより、上記層板(34)と上記蓋(20)の間に折り畳んだ服を載せるための収納空間が形成され、二つの上記L字プレート(33)の各上記ロッド貫通孔(333)にハンガーを掛けるための上記吊り棒(35)が貫通されて支持される構成であり、
上記スーツケース本体(1)と上記付属品(30)とによって、一つのスーツケースが一つのクローゼット基本構造（１００Ａ）に組み替えることが可能である構成であり、
上記カバー(40)は、上面が閉じきり面で、底面は開口面で、前側面が開閉面であり、上記開閉面の上端は二組の水平に相対する横向きチャック(41)を有し、上記横向きチャック(41)のチャックの締め口の下方に一つの縦向き分離式チャック(42)を有する構成であり、
上記スーツケース本体(1)と上記付属品(30)とからなるクローゼット基本構造（１００Ａ）に上記カバー(40)を被せることにより、上記クローゼットの構造を完成させることが可能であり、且つ、逆に、クローゼットからスーツケース（１００）に組み替えることが可能である構成としたことを特徴とする両用スーツケース。
【請求項２】
請求項１記載の両用スーツケースにおいて、
上記箱体(10)の上記差し込み座(12)は、中空状の構造体であることを特徴とする両用スーツケース。
【請求項３】
請求項１記載の両用スーツケースにおいて、
上記差し込み座(12)は、射出成形によって、箱体(10)と一体的に形成された構成であることを特徴とする両用スーツケース。
【請求項４】
請求項１記載の両用スーツケースにおいて、
上記箱体(10)の上記差し込み座(12)は、上記箱体(10)内側の４ケ所の隅の壁面上に上下に間隔を開け、それぞれ２つずつ設置されることを特徴とする両用スーツケース。
【請求項５】
請求項１乃至４のうち何れか一記載の両用スーツケースにおいて、
上記箱体(10)の上記差し込み座(12)は、断面が半円形状であることを特徴とする両用スーツケース。
【請求項６】
請求項１記載の両用スーツケースにおいて、
上記付属品(30)の上記コネクター(32)は、中段に１つの円盤状のストッパー(321)を形成し、且つ、上記ストッパー(321)の上端及び下端にそれぞれ差し込み部(322)を対称的に具備することを特徴とする両用スーツケース。
【請求項７】
請求項１記載の両用スーツケースにおいて、
上記付属品(30)の上記層板(34)は、上記蓋(20)の上記ラック層(22)内に収納することができることを特徴とする両用スーツケース。
【請求項８】
請求項１記載の両用スーツケースにおいて、
上記付属品(30)は、上記箱体(10)の上記底敷(13)内に収納することが可能である構成であることを特徴とする両用スーツケース。
【請求項９】
請求項１記載の両用スーツケースにおいて、
上記カバー(40)は、上記箱体(10)の上記底敷(13)内に収納することが可能である構成であることを特徴とする両用スーツケース。
【請求項１０】
請求項１、８、９のち何れか一項記載の両用スーツケースにおいて、
上記付属品(30)と上記カバー(40)は、上記付属品(30)を上記カバー(40)で包み、上記箱体(10)の上記底敷(13)の下側に収納することができることが可能である構成である特徴とする両用スーツケース。
【考案の詳細な説明】
【技術分野】
【０００１】
本考案は一種の両用スーツケースの構造で、一般的なスーツケースの基本機能を具備するとともに、短時間のうちにクローゼットに組み替えることができる構造を具備する両用スーツケースに関する。
【背景技術】
【０００２】
従来のスーツケースが消費者に提供できる機能は旅行に出かける際に大量の服や着替え等を入れ、簡単に持ち運びができる構成である。
【考案の開示】
【考案が解決しようとする課題】
【０００３】
しかし、従来のスーツケースは、実際使用時、下記の問題があり、改良が待たれている。
１．スーツケースの中に何も入れない状態のまま使用しない時、その他の付加機能がないだけでなく、空間を取ってしまい、現在の消費者が欲する所の多機能性商品の要求を満足させていない為、実用性に欠けると言う欠点がある。
２．旅行する時、スーツケースの中に服を入れ、スーツケースを持ち運ぶが、特にスーツやワイシャツ等は折り畳んで入れるので、しわになりやすい為、ホテルに着いた後、部屋の中にあるクローゼットのハンガーにかけるが、よく見られる情況としては、クローゼット内が湿気により、異臭を放ち、クローゼット内に掛けた服に異臭が付いたり、カビが発生したりして、服を着る時に、不快感を感じる、或はクローゼットの大きさが小さ過ぎる時、或は使いなれていないクローゼットからの服の出し入れを行なう時、とても不便であり、服が引っ掛かったり、破れたりすることもあり、旅行先滞在中において服の整理に不便を感じる、或は整理に時間がかかる等の欠点がある。
【０００４】
従って、上記従来のスーツケースは実用性に欠け、旅行先滞在中において服の整理に不便を感じる、或は整理に時間がかかる等の欠点があり、如何に上記欠点を改良した構造の一種の両用スーツケースを開発するかが、関係業界では開発目標となっている。
【０００５】
そこで、本考案は、上記の主に従来のスーツケースの旅行先滞在中において服の整理に不便を感じる、或は整理に時間がかかる等の欠点を解決した両用スーツケースを提供することを目的とする。
【課題を解決するための手段】
【０００６】
そこで、上記課題を解決するため、本考案の両用スーツケースは、車輪付き布質スーツケースの基本構造で、蓋２０と箱体１０を完全に分離することができ、上記スーツケースを分離した後、クローゼットとして使用することができるもので、上記箱体１０はクローゼットの底部、上記蓋２０はクローゼットの上部となり、更に、付属品３０を追加することで、短時間のうちにクローゼットに組み替えることが可能であり、本考案の上記クローゼットを分解した後は、又、一般的なスーツケースとして使用することが可能である構造である。
【考案の効果】
【０００７】
１．本考案のスーツケースは箱体１０と蓋２０とからなり、上記箱体１０と上記蓋２０は完全に分離させることができ、又、結合させることもでき、上記箱体１０はクローゼットの底部として、上記蓋２０はクローゼットの上部として、それぞれ使用することができ、少量の付属品３０を追加するだけで、工具を一切必要とせず、短時間のうちにクローゼットに組み替えることができ、又、旅行をしない時、日常着る服を掛けることもでき、美観及び多機能を具備し、使用が便利な実用性のある両用スーツケースの構造を提供することができる。
【０００８】
２．旅行時、本考案のスーツケースに衣類を入れ移動し、目的地到着後、上記スーツケースをすぐにクローゼットに組み替え、中に衣類を掛けることにより、簡単に整理ができ、便い慣れないクローゼットの為に使いづらいという思いをしたり、服を引っ掛けたり、破いたり、或は、不快感を感じるということはなく、特によく旅行や、出張に出る人にとって便利なスーツケースの構造を提供することができる。
【考案を実施するための最良の形態】
【０００９】
次に本考案の実施の形態について説明する。
【実施例１】
【００１０】
図１，２は本考案の実施例１になる両用スーツケース１００を示す。両用スーツケース１００は、車輪付き布質スーツケースの基本構造であり、小量の付属品３０を追加するだけで、短時間のうちにクローゼット１１０に組み替えることができるようにしたものであり、主に、一つのスーツケース本体１と、一組の付属品３０と、一つのカバー４０（図７参照）とからなる。
【００１１】
スーツケース本体１は、一つの箱体１０と一つの蓋２０とからなり、箱体１０と蓋２０とはそれぞれの上部と下部が分離式メスチャック１１と分離式オスチャック２１とにより結合或いは分離することが可能である。即ち、蓋２０は箱体１０に対して完全に分離することが可能であり、後述するように、箱体１０はクローゼット基本構造の底部なり、上記蓋２０はクローゼット基本構造の上部となる。
【００１２】
箱体１０の内側の４ケ所の隅の壁面上にそれぞれ差し込み座１２が、上下に間隔を開けて二つずつ設けてある。この差し込み座１２は、箱体１０と一体に射出成形されて形成され、中空状の構造体であり、断面は半円形状である。
【００１３】
また、箱体１０の内部に、一つの軟性材質の底敷１３が設置してある。底敷１３は、その一辺が箱体１０の内側の一辺に固定設置され、他の三辺が一つの底敷チャック１４により箱体１０の内側の他の三辺に連結してある。
【００１４】
蓋２０は開くことができるラック層２２を有する。ラック層２２は周辺にラック層チャック２３を有することにより開閉できる。また、蓋２０は底面の四ケ所の隅にそれぞれ中空管状の嵌合部２４を有する。
【００１５】
付属品３０は、主に連結支柱３１と、コネクター３２と、Ｌ字プレート３３と、層板３４と、吊り棒３５等から構成される。
【００１６】
連結支柱３１は中空管状の構造である。コネクター３２は、図３に示すように、中段に一つの円盤状のストッパー３２１を有し、且つ、このストッパー３２１の上端及び下端にそれぞれ差し込み部３２２を対称的に有する。四つの連結支柱３１は、図４に示すように、箱体１０の内側の四隅に上下に間隔を開けて二つずつ設置された上記差し込み座１２にそれぞれ差し込まれる。図２に示すように、四ケ所に設置された各連結支柱３１の上端にコネクター３２と連結支柱３１を一定の高さになるまで付け足して連結することにより、四組の主要な支柱の構造を形成することが出来る。Ｌ字プレート３３は、図５に示すように、断面がＬ字形状のプレートであり、水平に設置される面の両側に貫通孔３３１を有し、垂直に設置される面の中段部分に１つの可動プレート３３２が枢軸設置してある。可動プレート３３２は一つのロッド貫通孔３３３を有する。層板３４は四角形であい、各コーナに座孔３４１を有する。
【００１７】
図２及び図５に示すように、四組の主要な支柱の一番上の連結支柱３１の上端に一つずつコネクター３２を設置し、更に、二つのＬ字プレート３３をその貫通孔３３１をコネクター３２に嵌合させて、夫々の可動プレート３３２が向かい合うように対称的に設置する。更に、層板３４を、コネクター３２に相対する位置(４ケ所)の座孔３４１を四つのコネクター３２に嵌合させて、且つ両端側を二つのＬ字プレート３３上に支持させて設置する。更に、四つの短支柱３１１を夫々四つのコネクター３２上に設置する。最後に、図６に示すように、四つの各短支柱３１１の上端に、蓋２０の底面の四つの隅に設置された嵌合部２４をそれぞれ嵌合させる。
【００１８】
これによって、付属品３０とスーツケース本体１とを組み合わせることにより、一つのスーツケース１００が図７に示す一つのクローゼット基本構造１００Ａに組み替えられる。
【００１９】
クローゼット基本構造１００Ａは、図７に示すように、層板３４と蓋２０との間に収納用空間を有し、ここに、折り畳んだ服を載せることが出来る。また、二つのＬ字プレート３３の各ロッド貫通孔３３３に吊り棒３５を貫通させることにより、ハンガーを掛けることが出来る。
【００２０】
図７に示すように、カバー４０は、上面が閉じきりの面で、底面が開口面で、前側面が開閉面であり、開閉面の上端は二組の水平に相対する横向きチャック４１を有し、横向きチャック４１のチャックの締め口の下方に一つの縦向き分離式チャック４２を有する構成である。クローゼット基本構造１００Ａにカバー４０を組み合わせるとき、横向きチャック４１と縦向き分離式チャック４２のチャックを開き、カバーを被せるようにクローゼット基本構造１００Ａの後側から被せ、横向きチャック４１と縦向き分離式チャック４２のチャックを締める。これによって、図８に示すように、カバー４０がクローゼット基本構造１００Ａの外周に設置され、クローゼット１１０となる。
【００２１】
上記構造の本考案の各部を分解した後は、図１に示すように、付属品３０の層板３４は蓋２０のラック層２２内に収納することが出来、その他の付属品３０とカバー４０は、カバー４０でもって付属品３０を包み込んだ状態で、箱体１０の底敷１３の下側に収納することが出来る。また、底敷１３の底敷チャック１４を締めることにより、箱体１０内に収納空間が形成され、スーツケース本体１は本来の収納の目的を達成することが出来る。
【００２２】
また、再度クローゼットとして使用するときは、各部品を取り出す。特に底敷１３の底敷チャック１４を開け、中の付属品３０を取り出した後は、四つの隅に設置された各差し込み座１２が露出し、そのまま連結支柱３１を組み込むことが出来、底敷チャック１４を再び締める必要がなく、使用が便利である。
【００２３】
上記構造により、箱体１０はクローゼットの底部として、蓋２０はクローゼットの上部として、それぞれ使用することが出来、少量の付属品３０を追加するだけで、工具を一切必要とせず、短時間のうちにクローゼットに組み替えることが出来る。よって、旅行をしないときに、日常に着る服を掛けることも出来る。旅行時、本考案のスーツケースに衣類を入れ移動し、目的地到着後、上記スーツケースをすぐにクローゼットに組み替え、中に衣類を掛けることにより、簡単に整理ができ、便い慣れないクローゼットのために使いづらいという思いをしたり、服を引っ掛けたり、破いたり、或いは、不快感を感じるということはなく、特によく旅行や、出張に出る人にとって便利なスーツケースの構造を提供することが出来る。
【００２４】
また、スーツケース本体１と付属品３０との組み立て方法は直接各部の相対する各部を嵌合させるだけでよく、ネジを一切必要としない為、組み立てが容易であり、又、連結する各連結支柱３１を各上記コネクター３２により連結することにより、一般的に見られる複雑な多段伸縮ロッド等を使用する必要がなく、又、連結支柱３１と箱体１０或いは蓋２０とを嵌合により連結することにより、簡単で素早く組み立てることができ、製造コストを抑えることができる。
【図面の簡単な説明】
【００２５】
【図１】本考案のスーツケースを開いた状態の立体図である。
【図２】本考案のスーツケースをクローゼットに組み替えた状態を示す分解立体図である。
【図３】本考案の連結支柱とコネクターとの連結を示す図である。
【図４】本考案の箱体の一つの隅を示す局部拡大図である。
【図５】本考案のＬ字プレートの組み立てを示す図である。
【図６】本考案の層板及び蓋の組み立てを示す図である。
【図７】本考案のスーツケースをクローゼットに組み替えた後外周にカバーを設置する構造を示す図である。
【図８】本考案のクローゼットの完成図である。
【符号の説明】
【００２６】
１００  両用スーツケース
１００Ａ  クローゼット基本構造
１１０  クローゼット
１  スーツケース本体
１０  箱体
１１  分離式メスチャック
１２  差し込み座
１３底敷
１４  底敷チャック
２０  蓋
２０  分離式オスチャック
２２  ラック層
２３  ラック層チャック
２４  嵌合部
３０  付属品
３１  連結支柱
３１１  短支柱
３２  コネクター
３２１  ストッパー
３２２  差し込み部
３３  Ｌ字プレート
３３１  貫通孔
３３２  可動プレート
３３３  ロッド貫通孔
３４  層板
３４１  座孔
３５  吊り棒
４０  カバー
４１  横向きチャック
４２  縦向き分離式チャック
【図１】
0003104094.tif 000003
【図２】
0003104094.tif 000004
【図３】
0003104094.tif 000005
【図４】
0003104094.tif 000006
【図５】
0003104094.tif 000007
【図６】
0003104094.tif 000008
【図７】
0003104094.tif 000009
【図８】
0003104094.tif 000010